(57)【要約】【課題】ネットワークスキャンを行うことができる画像読取装置において、ユーザがジョブ分割を設定したときのジョブ分割が、不適当である場合、ジョブの分割を禁止することができる画像読取装置を提供する。【解決手段】  ファクシミリ装置１は、ジョブ分割を設定する操作部６０と、ジョブ分割を無効とする条件を記憶するＲＯＭ２０を備える。ファクシミリ装置１のＭＰＵ１０は、操作部６０によるジョブ分割の設定があったとき、該ジョブ分割が、前記条件に合致する場合に、操作部６０によるジョブ分割の設定を無効と判定する。【選択図】        図１
2005295109.tif 000002
【特許請求の範囲】
【請求項１】
原稿画像を読み取って読取画像データを生成する画像読取装置において、
ジョブ分割を設定するジョブ分割設定手段と、
ジョブ分割の設定に応じて、一連の読取動作によって生成された複数の読取画像データを複数のジョブに分割するジョブ分割手段と、
ジョブ分割の設定があった場合、指定されているジョブ内容に基づいて、ジョブ分割の設定を無効にするか否かを判定する判定手段と、
を備え、
前記ジョブ分割手段は、前記判定手段の判定結果に基づいて、設定されたジョブ分割の有効／無効を制御することを特徴とする画像読取装置。
【請求項２】
指定されているジョブ内容がファックス通信の場合、或いは、ファックス通信を含む場合、前記判定手段は、ファックス通信に対してジョブ分割の設定を無効にすると判定することを特徴とする請求項１に記載の画像読取装置。
【請求項３】
指定されているジョブ内容が、ファックス通信とメール通信の混在同報通信の場合、前記判定手段は、ファックス通信及びメール通信に対してジョブ分割の設定を無効にすると判定することを特徴とする請求項２に記載の画像読取装置。
【請求項４】
指定されているジョブ内容が、ファックス通信とメール通信との混在同報通信の場合、
前記判定手段は、ファックス通信に対してはジョブ分割の設定を無効にすると判定し、メール通信に対しては、ジョブ分割の設定を有効にすると判定することを特徴とする請求項２に記載の画像読取装置。
【発明の詳細な説明】
【技術分野】
【０００１】
本発明は、例えばネットワークスキャンを行うことができる画像読取装置に関する。
【背景技術】
【０００２】
従来から、画像データを入力する手段として用いられているスキャナ装置を、ネットワークに接続し、複数のネットワーク端末で共有できるようにされている。従来、ネットワークスキャンする場合、ネットワークに接続されたスキャナ装置では、自動原稿搬送装置（以下、「ＡＤＦ」という）に原稿を複数枚セットして、スキャンすると、読み取られた複数の原稿の画像データが１つのジョブとして登録される。又、前記スキャナ装置では、ページ単位で、ジョブを分割して登録する機能も搭載されている。
【０００３】
例えば、ＡＤＦにおいては、ジョブを分割する場合、複数枚セットされた原稿をスキャンする以前に、ページ単位のジョブ分割設定を行うようにしている。具体的には、ＡＤＦにおいて、片面読取の場合、複数原稿をスキャンする以前に、ページ単位のページ分割をキーにて設定すると、原稿の表面が読取される毎に、１ページ毎に１ジョブとして登録され、原稿の枚数に応じた数のジョブを登録できるようになっている。
【０００４】
なお、特許文献１では、複数のコンピュータから複数のジョブを入力し、入力された該複数のジョブを、各々のジョブにおいて、連続するカラーページの途中ではジョブを分割しないようにし、そうでない場合には、複数の画像形成装置にジョブを分割する技術が開示されている。この技術では、連続カラーページになる群については、出力するカラー画像形成装置を分けることを禁止するようにしている。
【特許文献１】特開２００３−２２３３１０号公報、段落００７３
【発明の開示】
【発明が解決しようとする課題】
【０００５】
従来は、上記のように、ＡＤＦにおいては、複数原稿をスキャンする以前において、ジョブの分割をキー入力等により設定することにより、ジョブ分割ができるようにしている。しかし、前記のようにユーザがジョブ分割の設定をしても、ジョブ内容によってはジョブ分割をしない方がよい場合がある。しかし、従来の画像読取装置では、ジョブ分割が一旦設定されると、ジョブ分割をするようにしていた。
【０００６】
なお、特許文献１の技術では、連続するカラーページの途中ではジョブを分割しないようにしているが、予め、ユーザがジョブ分割を設定することを前提としていない。すなわち、この技術では、ユーザが一旦ジョブ分割を設定するものではなく、カラーページが連続しているか、否かを判定して、連続している場合に、ジョブ分割を禁止するものである。従って、特許文献１では、本件発明の課題を解決できないものである。
【０００７】
本発明の目的は、原稿画像を読み取って読取画像データを生成する画像読取装置において、ユーザがジョブ分割を設定した場合でも、指定されているジョブ内容がジョブ分割には、不適当であるとき、ジョブの分割を禁止することができる画像読取装置を提供することにある。
【課題を解決するための手段】
【０００８】
上記問題点を解決するために、請求項１に記載の発明は、原稿画像を読み取って読取画像データを生成する画像読取装置において、ジョブ分割を設定するジョブ分割設定手段と、ジョブ分割の設定に応じて、一連の読取動作によって生成された複数の読取画像データを複数のジョブに分割するジョブ分割手段と、ジョブ分割の設定があった場合、指定されているジョブ内容に基づいて、ジョブ分割の設定を無効にするか否かを判定する判定手段と、を備え、前記ジョブ分割手段は、前記判定手段の判定結果に基づいて、設定されたジョブ分割の有効／無効を制御することを特徴とする画像読取装置を要旨とするものである。
【０００９】
請求項２の発明は、請求項１において、指定されているジョブ内容がファックス通信の場合、或いは、ファックス通信を含む場合、前記判定手段は、ファックス通信に対してジョブ分割の設定を無効にすると判定することを特徴とする。
【００１０】
請求項３の発明は、請求項２おいて、指定されているジョブ内容が、ファックス通信とメール通信の混在同報通信の場合、前記判定手段は、ファックス通信及びメール通信に対してジョブ分割の設定を無効にすると判定することを特徴とする。
【００１１】
請求項４の発明は、請求項２において、指定されているジョブ内容が、ファックス通信とメール通信との混在同報通信の場合、前記判定手段は、ファックス通信に対してはジョブ分割の設定を無効にすると判定し、メール通信に対しては、ジョブ分割の設定を有効にすると判定することを特徴とする。
【発明の効果】
【００１２】
請求項１の発明によれば、ジョブ分割手段は、ジョブ分割の設定を無効にすると判定された場合には、ジョブ分割を禁止する。すなわち、ジョブ分割を実行しない。この結果、ジョブ分割が禁止された場合、ジョブ分割の設定が無視されて読取動作が行われ、一連の読取動作により、生成された複数の読取画像データは１つのジョブとして扱うことができる。このように、画像読取装置において、ユーザがジョブ分割を設定した場合でも、指定されているジョブ内容がジョブ分割には不適当である場合、ジョブの分割を禁止することができる。
【００１３】
請求項２の発明によれば、指定されているジョブ内容がファックス通信の場合、或いは、ファックス通信を含む場合には、ファックス通信に対してジョブ分割の設定を無効にできるため、ファックス通信による、通信コストの上昇を抑制することができる。
【００１４】
請求項３の発明によれば、指定されているジョブ内容が、ファックス通信とメール通信の混在同報通信の場合、ファックス通信及びメール通信に対してジョブ分割の設定を無効にするため、ファックス通信による、通信コストの上昇を抑制することができる。
【００１５】
請求項４の発明によれば、指定されているジョブ内容が、ファックス通信とメール通信との混在同報通信の場合、ファックス通信に対してはジョブ分割の設定を無効にすると判定し、メール通信に対しては、ジョブ分割の設定を有効にすると判定される。この結果、請求項２の効果を奏すると共に、メール通信については、ジョブ分割の設定を有効に利用することができる。
【発明を実施するための最良の形態】
【００１６】
（第１実施形態）
以下、本発明を、画像読取装置としてネットワークスキャンが可能なファクシミリ装置に具体化した第１実施形態を、図１〜６を参照して説明する。
【００１７】
図１に示すように、ファクシミリ装置１は、ＭＰＵ１０、ＲＯＭ２０、ＲＡＭ３０、クロック回路３５、読取部４０、記録部５０、操作部６０、表示部７０、画像メモリ８０、コーデック９０、モデム１００、ＮＣＵ１１０及びＬＡＮインターフェィス１２０から構成される。又、各部１０〜１２０はバス１３０を介してそれぞれ接続されている。
【００１８】
ＭＰＵ１０は、ファクシミリ装置１を構成する各部を制御する。ＲＯＭ２０は、ファクシミリ装置１を制御するためのプログラムを記憶する。ＲＡＭ３０は、ファクシミリ装置１に関する各種情報を記憶する。クロック回路３５は、現在日時を計時し、ＭＰＵ１０からの要求信号に応じて、現在日時の情報をＭＰＵ１０に出力する。
【００１９】
図１に示す読取部４０は、原稿上の画像を読み取って、読取画像データとして白黒２値のイメージデータを出力する。また、読取部４０は、ＡＤＦ４１（Auto  Document  Ｆeeder）を備えている。ＡＤＦ４１は、原稿台に載置された複数の原稿を１枚ずつ自動的に搬送して、読取部４０にて読み取らせる。読取部４０は、原稿載置板（図示しない）上に載置された静止原稿を読み取るＦＢＳ４２（フラットベッドスキャナ）を備えている。読取部４０、ＡＤＦ４１、ＦＢＳ４２により原稿読取手段が構成されている。なお、読取部４０は、原稿上の画像を読み取って読取画像データとしてカラー多値データを出力するカラー読取機能を備えていてもよい。
【００２０】
そして、ＡＤＦ４１には、原稿が原稿台に載置されたことを検出するための原稿有無センサ４１ａが配設されている。この原稿有無センサ４１ａは、原稿の有無に応じて検出信号をＭＰＵ１０に出力する。一方、ＦＢＳ４２には、カバーの開閉状態を検出するためのカバー開閉センサ４２ａが配設されている。このカバー開閉センサ４２ａは、カバーの開閉状態に応じて検出信号をＭＰＵ１０に出力する。
【００２１】
記録部５０は、電子写真方式のプリンタよりなり、受信画像データや、コピー動作において読取部４０にて読み取られた原稿の読取画像データを、記録紙上に記録する。
操作部６０は、ＦＡＸモード、コピーモードやスキャンモードに設定するためのモード設定キー６１、宛先(ＦＡＸ番号やメールアドレス)を予め登録しておくことができる短縮キー６２やワンタッチキー６３を備えている。又、操作部６０は、電話番号又はコピー部数等を入力するためのテンキー（＊，＃キーを含む）６４、原稿の読み取り動作を開始させるためのスタートキー６５、設定キー６６、タッチパネル６７、英文字等を入力するための文字キー６８、表示選択キー（図示しない）等の各種操作キーを備えている。
【００２２】
表示部７０は、ＬＣＤ等よりなり、ファクシミリ装置１の動作状態等の各種情報の表示を行う。表示部７０は、表示画面１４０（図３参照）においてキー画像を表示可能とされている。そして、表示部７０は、表面に公知のタッチパネル６７が設けられている。タッチパネル６７は、前記表示画面１４０上に重ねられてキー画像を透視させるとともにユーザによるキーの押下操作を検出する検知領域を当該キー画像に対応して有している。表示されたキー画像に対応する検知領域が、キーの押下操作を検出すると、ＭＰＵ１０は、そのときに表示していたキー画像に対応するキー入力があったことを検知する。
【００２３】
画像メモリ８０は、ＤＲＡＭ等で構成され、受信画像データや読取部４０で読み取られた読取画像データを一時的に記憶する。コーデック９０は、読取部４０にて読み取られた読取画像データを送信のためにＭＨ，ＭＲ，ＭＭＲ方式等により符号化（エンコード）する。また、コーデック９０は、受信画像データを復号（デコード）する。
【００２４】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌ１との接続を制御するとともに、相手先の電話番号（ＦＡＸ番号を含む）に対応したダイヤル信号の送出及び着信を検出するための機能を備えている。ＬＡＮ  Ｉ／Ｆ（インターフェィス）１２０は、ＬＡＮ（ローカルエリアネットワーク）Ｌ２との接続用インターフェィスであり、ファクシミリ装置１は、このＬＡＮ  Ｉ／Ｆ１２０を介してＬＡＮ  Ｌ２経由で、電子メールの送受信等を行う。そして、ファクシミリ装置１は、ＬＡＮ  Ｉ／Ｆ１２０を介してＬＡＮ  Ｌ２経由で、図示しない複数のネットワーク端末と共有可能とされている。
【００２５】
又、ファクシミリ装置１の操作部６０からのユーザの入力操作等によって、ワンタッチ／短縮番号に、ＦＡＸ番号若しくはメールアドレス、宛先名称、宛先に設置されているファクシミリ装置（以下「宛先装置」という。）の受信能力情報が登録されている。
【００２６】
そして、受信能力情報としては、複数の宛先情報とともに、各宛先情報に関連付けて当該宛先装置の受信能力情報がＲＡＭ３０に記憶されている。受信能力情報は、宛先装置が画像データを受信して印刷配信などの処理が可能な画像データのフォーマットについての情報である。すなわち、図６に示すような電話帳テーブル１５０が前記ＲＡＭ３０の所定の記憶領域に形成されており、「ワンタッチ／短縮」欄にワンタッチ／短縮番号が、格納されている。図６の例では、短縮「０１」、短縮「１３」、短縮「２２」は、短縮キー６２とテンキー６４の操作により、短縮番号が入力操作されたことを示しており、ワンタッチ「Ａ」は、ワンタッチキー６３中、当該Ａに対応するキーが選択操作されたことを示している。さらに、「宛先名称」欄に宛先名称についての情報が、「ＦＡＸ番号／メールアドレス」欄に宛先情報としてＦＡＸ番号若しくはメールアドレスが格納されている。さらに、「受信能力」欄に受信能力情報として例えば「カンマ」等の区切り記号を介して、画像データの解像度、符号化方式、フォーマットサイズ等についての情報が格納されている。
【００２７】
ファクシミリ装置１は、電子メール（メール通信）によって画像データの通信を行うインターネットファクシミリ機能を有しており、読取部４０で読み取り、画像メモリ８０に記憶した画像データを電子メールに添付し、ＬＡＮ  Ｌ２を介して通信可能に接続された、例えばインターネット上の他のネットワーク端末やメール端末に送信することができる。又、ファクシミリ装置１は、他の通信端末装置やメール端末が送信した電子メールを受信して、当該電子メールに添付された画像データをプリントアウトすることができる。
【００２８】
本実施形態のＭＰＵ１０は、ジョブ分割手段、及び判定手段に相当する。
（第１実施形態の作用）
本実施形態において、ＡＤＦ４１を使用してジョブ分割を行う場合について、図２〜５を参照して説明する。
【００２９】
ファクシミリ装置１が有する前記電話帳テーブル１５０に登録された宛先に対し、原稿を送信する場合について、図２、図４，図５に示すフローチャートに基づき説明する。なお、各フローチャートに基づき説明する動作は、ファクシミリ装置１のＲＯＭ２０に記憶されている制御プログラム等に基づいてＭＰＵ１０の発行する命令に従って行われる。
【００３０】
図２は、ＭＰＵ１０が実行する表示処理のフローチャートであり、この画面を操作部６０に設けられた表示選択キーにて選択された際に実行される。
Ｓ３００では、図３に示すようにＭＰＵ１０は、表示部７０の表示画面１４０に対して、ノーマルキー１３２及びジョブ分割設定手段としてのページ分割キー１３４を表示し、予めページ分割を設定するか、否かの決定をユーザに促す。Ｓ３１０では、キー操作を待ち、Ｓ３２０において、ページ分割キー１３４が操作されると、Ｓ３３０で、ＭＰＵ１０はジョブ分割設定を行う。すなわち、ＭＰＵ１０は、設定フラグをセットする。ノーマルキー１３２が操作されると、ＭＰＵ１０は、Ｓ３４０において、ノーマル設定（設定フラグをリセットする）を行う。このように、ジョブ分割設定手段であるページ分割キー１３４によるジョブ分割設定は、後述する一連の読取動作開始前に行われる。又、説明の便宜上、本実施形態では上記ジョブ分割設定の操作の後、以下のジョブ内容の指定を行うものとする。
【００３１】
図４は、ユーザ等により送信すべき原稿が読取部４０のＡＤＦ４１にセットされた後、実行される。まず、送信に際して必要な情報が操作部６０等から入力指定され、スタートキー６５が操作されると、ファクシミリ装置１は、これを受付け（Ｓ１００）、受付けた情報から同報送信が指定されているか否かを判断する（Ｓ１１０）。このように、ユーザはスタートキー６５を操作する前に、ワンタッチキー６３等による宛先の指定と同報送信をするか否かの指定を行う。この場合、同報送信をするか否かの指定は、ジョブ内容の指定に相当する。
【００３２】
同報送信が指定されている場合（すなわち、ジョブ内容として同報通信が指定されている場合）は、電話帳テーブル１５０の「受信能力」欄を参照して同報送信先として選択指定された宛先装置の受信能力を基準に画像データの読み取り形式（フォーマット）を定めて原稿読取処理を行う（Ｓ１２０）。
【００３３】
なお、本実施形態では、説明の便宜上、ジョブ分割設定は、ジョブの内容指定の前に行うことで説明しているが、ジョブの内容指定した後、ジョブ分割を設定することも可能である。
【００３４】
（原稿読取処理）
図５は、前記原稿読取処理ルーチンのフローチャートである。
ＡＤＦ４１により原稿が搬送され読取部４０にて、読取が開始される（Ｓ２１０）。次に、画像メモリ８０の１つのジョブ記憶領域がオープンされ（Ｓ２２０）、オープンされたジョブ記憶領域の中で、ページ記憶領域がオープンされる（Ｓ２３０）。すなわち、該領域に対して、読取部４０にて原稿が読み取りされて生成された読取画像データの記憶が開始される。
【００３５】
次に、１ページ分の原稿の読取終了が完了されたか否かが判定される（Ｓ２４０）。この判定は、ＡＤＦ４１に設けられた公知の原稿後端検出センサ（図示しない）の検出に基づいて行われる。１ページ分の読取が完了された場合は、ページ記憶領域のクローズ処理が行われる（Ｓ２５０）。
【００３６】
次に、ＭＰＵ１０は、次ページの有無の判定を行う（Ｓ２６０）。すなわち、ＭＰＵ１０は、原稿有無センサ４１ａの原稿検出がある場合、「次ページ有り」と判定し、そうでない場合には、「次ページなし」と判定する。「次ページなし」と判定された場合、ジョブ記憶領域のクローズが行われ（Ｓ２９５）、読取が終了される。
【００３７】
この場合、ＭＰＵ１０は、原稿有無センサ４１ａの原稿検出無し状態が所定時間継続(タイムアップ)すると、読取終了と判断する。ここで、ＭＰＵ１０が読取終了と判断すると、一連の読取動作は終了となる。一方、ＭＰＵ１０は、一時的に原稿有無センサ４１ａが原稿無しを検出しても、所定時間以内に原稿ありを検出すると(続きの原稿がセットされると)、「次ページあり」と判断する。この場合、ユーザによる中間読取開始指示操作（例えば、スタートキーによる操作）に基づいて、セットされた原稿について、それまでと同じ一連の読取動作として読取を継続する。なお、上述したようなタイムアップした場合だけでなく、ユーザが積極的に読取終了指示を操作した場合にも、一連の読取動作が終了したと判断することができる。
【００３８】
Ｓ２６０で、「次ページ有り」と判定された場合、ジョブ分割設定がされているか否かが前記設定フラグがセットされているか、リセットされているかに基づいて判定される（Ｓ２７０）。
【００３９】
設定フラグがリセットされている場合には、ジョブ分割がセットされていないものとして、Ｓ２３０に戻る。すなわち、Ｓ２６０から、Ｓ２７０を介してＳ２３０に戻る場合は、以後、読み取られた読取画像データに関しては、前と同じジョブとして処理されることを意味する。一方、Ｓ２７０において、設定フラグがセットされている場合には、ジョブ分割設定がされていると判定され、次のステップでジョブ分割条件が成立しているか否かがＲＯＭ２０に記憶したジョブ分割条件が参照されて判定される（Ｓ２８０）。このように、ＭＰＵ１０は、判定手段として、一連の読取動作の開始指示（スタートキー押下）に伴って（トリガとして）、設定されたジョブ分割の有効／無効を判定する。なお、スタートキー押下をトリガとしているのは、ジョブ分割の設定操作と、ジョブ内容の指定操作のどちらが先に行われるのか分からないため、ジョブ内容が確定する時点、すなわち、スタートキー押下によって読取動作開始指示があった時点までは上記判定が行えないためである。
【００４０】
本実施形態でのジョブ分割条件は、同報送信の場合、混在同報（すなわち、ジョブ内容が混在同報通信）でないことが条件である。混在同報とは、同報送信の場合の宛先の中にファクシミリ通信のためのＦＡＸ番号と、メール通信のためのメールアドレスが混在していることをいう。混在同報の場合には、ジョブ分割条件が成立していないとして、Ｓ２３０に戻る。この場合は、Ｓ２７０でジョブ分割の設定フラグがセットされているにも関わらず、ジョブ分割の設定を無効と判定して、ジョブ分割をしないようにするのである。
【００４１】
なお、混在同報でない場合とは、同報送信の宛先がＦＡＸ番号のみの場合と、宛先がメールアドレスのみの場合である。
混在同報でない場合には、ジョブ分割条件が成立しているとして、Ｓ２９５と同様のジョブのクローズ処理が行われ（Ｓ２９０）、Ｓ２２０に戻る。この場合、Ｓ２６０〜Ｓ２９０を介してＳ２２０に戻ることから、次に読み取られた読取画像データに関しては、新たなジョブとして処理される。ここで、ジョブ分割条件を記憶するＲＯＭ２０は、記憶手段に相当する。又、ジョブ分割条件は、ジョブ分割を無効とする条件（すなわち、ジョブ分割を無効（非許可）とするか否かの判定基準）に相当する。
【００４２】
再び、図４のフローチャートに戻る。
上記のようにＳ１２０の原稿読取において、読取画像データが読み取られた後、読み取られた読取画像データは同報送信先として指定された各宛先装置の受信能力に応じて、符号化されて符号化画像データが生成されると共に当該宛先へ送信され（Ｓ１３０、Ｓ１４０）、全ての宛先に対して送信が完了まで該処理が行われる（Ｓ１５０）。
【００４３】
一方、Ｓ１１０において、同報送信が指定されていないと判断されたときは、電話帳テーブル１５０の「受信能力」欄に示された宛先装置の受信能力に合わせて原稿から読取画像データが読み取られる（Ｓ１６０）。さらに同欄に示された宛先装置の対応する符号化方式で符号化されて符号化画像データが生成され（Ｓ１７０）、当該宛先へ送信される（Ｓ１８０）。
【００４４】
上記のように構成されたファクシミリ装置１は、ジョブ内容として同報送信が指定され、且つジョブ分割が設定されている場合、同報送信の内容が混在同報となっているときには、Ｓ２８０において、ジョブ分割設定が無効と判定される。
【００４５】
ここで、電子メール（インターネットファックス）通信を行う場合は、ジョブ分割された数に応じたファイル（読取画像データ）が電子メールに添付されて送信される。この場合、通信料金は、一般的にファイル数とは直接的には関係がない。一方、ファックス通信の場合、ジョブ分割の設定が有効にされていると、登録されたジョブの数だけ発呼する必要があり、電話料金による通信コストが高くなる。このため、ファックス通信を行う場合、ジョブ分割しない方が好ましい。しかし、混在同報の場合、電子メールのジョブ分割と同じ感覚でファックス通信も行われることが予想される。
【００４６】
そこで、第１実施形態では、混在同報の場合、上記のように、ジョブ分割が設定されていたとしても、ジョブ分割を禁止（無効化）するため、コストを抑えることができるという効果がある。
【００４７】
（第２実施形態）
本実施形態では、ジョブ分割条件を、混在同報を含む同報送信であって、宛先がメールアドレスであることとしており、Ｓ１２０の処理が第１実施形態と異なっている。
【００４８】
本実施形態では、Ｓ１２０における原稿読取において、指定されているジョブ内容がメール通信とファックス通信との混在同報か否かが判定され、混在同報と判定された場合、読取処理によって、ファックス通信用の読取画像データのファイルと、メール通信用の読取画像データのファイルとがそれぞれ別個に生成される。ファックス通信用のファイルはジョブ分割されていないファイルであり、メール通信用のファイルはページ毎（又はシート毎でもよい）にジョブ分割されて生成された複数のファイルである。
【００４９】
そして、指定されているジョブ内容が混在同報の場合、ＭＰＵ１０は、１ジョブとして登録された読取画像データはＳ１３０にて符号化された画像データにされて、Ｓ１４０において、ＦＡＸ番号の宛先装置に対してファックス通信される。又、複数のジョブとして登録された読取画像データは、Ｓ１３０にて符号化された画像データにされて、Ｓ１４０において電子メールに添付されて送信される。
【００５０】
このように本実施形態では、指定されているジョブ内容が、ファックス通信とメール通信との混在同報通信の場合、Ｓ１２０においてファックス通信に対してはジョブ分割の設定を無効にすると、ＭＰＵ１０は判定する。又、ＭＰＵ１０は、Ｓ１２０において、メール通信に対しては、ジョブ分割の設定を有効にすると判定する。
【００５１】
従って、本実施形態では、混在同報を含む同報送信であって、宛先がＦＡＸ番号の場合は、ジョブ分割の設定が無効と判定されるため、コストを抑える効果があり、メール通信はジョブ分割されたファイルを宛先に送信することができる。
【００５２】
（第３実施形態）
次に、第３実施形態について説明する。第３実施形態では、メール通信＆コピー機能を備えたファクシミリ装置１に具体化したものである。メール通信＆コピー機能は、１度の原稿読取動作によって生成された読取画像データを使って、メール通信とコピーとを同時或いは連続的に行う機能である。
【００５３】
この場合、ファクシミリ装置１では、設定キー６６にてメール＆コピーモードに設定される。又、ＭＰＵ１０にて第１実施形態と同様に図２に示すフローチャートが実行されて、ジョブ分割設定、又は、ノーマル設定がされる。なお、図２のフローチャートは、第１実施形態で説明したため、説明を省略する。
【００５４】
そして、原稿が読取部４０のＡＤＦ４１にセットされた後、スタートキー６５が押下されると、図４に示した、原稿読取処理ルーチンが実行されるが、この原稿読取処理ルーチンでは、第１実施形態とは、Ｓ２８０におけるジョブ分割条件が下記のように異なり、他のステップは同様である。
【００５５】
第３実施形態では、ＲＯＭ２０に記憶されたジョブ分割条件は、少なくともメール＆コピーモードに設定されていないことを条件としている。ジョブ分割条件をメール＆コピーモードに設定されていないことにしている理由は下記の通りである。
【００５６】
メール＆コピーモードの設定と、ジョブ分割の設定は、本実施形態では、独立して設定できるようにされており、ユーザが、両方を設定した状態で、スタートキー６５を操作する場合があり得る。この場合、コピーは、複数原稿があっても、これらの読み取りした読取画像データはもともと１ジョブとして登録処理すべきものであるが、ユーザが誤って、ジョブ分割を設定することがある。このため、第３実施形態では、ジョブ分割の設定を無効と判定して、ジョブ分割を禁止するようにしている。
【００５７】
こうすると、メール＆コピーモードである場合、すなわち、指定されているジョブ内容がメール＆コピーのジョブである場合には、Ｓ２８０の判定は「ＮＯ」とされて、ジョブ分割条件が成立していないとして、Ｓ２３０に戻る。この場合は、Ｓ２７０でジョブ分割の設定フラグがセットされていても、ジョブ分割の設定が無効と判定されて、ジョブ分割がされず、複数原稿があっても１ジョブとされる。
【００５８】
このようにして、ＭＰＵ１０は、複数原稿の読取画像データを、メール＆コピーモードの場合に１ジョブとして登録するとともに、１ジョブとして処理した読取画像データのファイルを電子メールに添付して処理する。
【００５９】
（第３実施形態の変形）
なお、本実施形態の変形例として、ジョブ分割条件を、指定されているジョブ内容が電子メールのためのジョブであることを条件としてもよい。こうすると、コピージョブである場合には、ジョブ分割条件が成立していないとして、Ｓ２３０に戻る。
【００６０】
この場合は、Ｓ２７０でジョブ分割の設定フラグがセットされていても、ジョブ分割の設定を無効と判定して、ジョブ分割をしないようにするのである。
そして、電子メールのためのジョブの場合には、ジョブ分割条件が成立しているとして、ジョブのクローズ処理が行われ（Ｓ２９０）、Ｓ２２０に戻る。この場合、Ｓ２６０〜Ｓ２９０を介してＳ２２０に戻ることから、以後読み取られた読取画像データに関しては、新たなジョブとして処理される。
【００６１】
このようにすると、メール＆コピーモードが設定されている場合、ページ分割キー１３４にてジョブ分割が設定されていても、コピーの場合、原稿の読取画像データは、コピージョブとして１ジョブとして登録され、メール通信の場合、ジョブ分割されて得られた読取画像データのファイルを電子メールに添付することができる。
【００６２】
コピーの場合、もともとジョブ分割する必要がないことから、メール＆コピーモードにおいて、ジョブ分割することは不適当である。このため、メール＆コピーモードにおいてジョブ分割が設定されても、コピーの場合には、１ジョブとすることができる。
【００６３】
なお、本発明の実施形態は、前記実施形態に限定されるものではなく、下記のようにしてもよい。
○  前記実施形態では、読取ヘッドを固定しつつ、原稿を搬送させながら読取を行うＡＤＦ読取について説明したが、本発明は、原稿を固定して、読取ヘッドを移動させつつ読取りを行うＦＢＳ読取りにも適用できる。すなわち、第１実施形態のファクシミリ装置１において、ページ分割キー１３４で、ページ分割（ジョブ分割）を設定した後、ＦＢＳ４２にて原稿を読み取った際、ＭＰＵ１０は、このジョブ分割の設定を無効と判定するようにしてもよい。
【００６４】
なお、ＦＢＳ読取りの場合、最初にユーザが読取開始指示を操作した後、原稿１枚毎に原稿セット及び中間読取開始指示が必要である。すなわち、ＦＢＳ読取りの場合、ユーザが読取終了指示を操作することなく、１ページの読取りが完了してから所定時間以内に次原稿のセット及び中間読取開始指示（スタートキー６５、後記新規文書キーの操作）を行う限り、一連の読取動作が継続される。一連の読取動作は、ユーザが次の原稿をセットせずに、或いは、ユーザが次ページの中間読取開始指示のためのキー操作を行わずに、タイムアップすれば終了する。
【００６５】
ここで、前記中間読取開始指示を行うために、本実施形態では、新規文書キー（図示しない）が操作部６０に設けられており、該新規文書キーを押下すると、ＭＰＵ１０はジョブ分割を行う。このように新規文書キーを任意の原稿をセットをしたときに押下すると、一連の読取動作中でユーザが希望するページからジョブ分割ができる。
【００６６】
また、ユーザが読取終了指示のために操作部６０に設けたキーを操作した場合にも、一連の読取動作を終了する。ＦＢＳ読取の場合には、一連の読取動作中の開始前にジョブ分割の設定がされている場合にも、ジョブ分割の設定を無視するようにしてもよい。ジョブ分割の設定が無視された場合、一連の読取動作によって読み取られた複数の読取画像データは、１つのジョブとして登録される。ＦＢＳ４２の場合、ページ毎の原稿セット及び中間読取開始指示が必須となり、事前にジョブ分割を設定することのメリットが少ないため、このようにしてもよい。
【００６７】
○  前記実施形態では、ファクシミリ装置１に具体化したが、複写機能、プリント機能、ファクシミリ機能などを搭載した複合機に具体化してもよい。
前記各実施形態によって、下記の技術的思想が把握できる。
【００６８】
（１）  指定されているジョブ内容が、メール通信とコピーの場合、判定手段は、少なくともコピーに対してはジョブ分割が無効と判定することを特徴とする請求項１に記載の画像読取装置。こうすることにより、有効性が低いジョブ分割を禁止することができる。
【００６９】
（２）  指定されているジョブ内容が、フラットベッドスキャナーを使用する画像読取の場合、判定手段は、一連の読取動作開始前に設定されたジョブ分割は無効であると判定することを特徴とする請求項１に記載の画像読取装置。
【００７０】
（３）  上記（２）において、一連の読取動作中にジョブ分割設定可能な入力手段（前記新規文書キー）を備えたことを特徴とする画像読取装置。こうすると、ユーザは、フラットベッドスキャナーで一連の読取動作を行っている際にジョブ分割したい場合、各ページ間において、ジョブ分割の設定（新規文書の設定）を行うことができる。
【図面の簡単な説明】
【００７１】
【図１】本発明を具体化した実施形態のファクシミリ装置の電気ブロック図。
【図２】同じくＭＰＵ１０が実行するフローチャート。
【図３】表示画面１４０の説明図。
【図４】ＭＰＵ１０が実行するフローチャート。
【図５】ＭＰＵ１０が実行するフローチャート。
【図６】電話帳テーブルの説明図。
【符号の説明】
【００７２】
１…ファクシミリ装置（画像読取装置）
１０…ＭＰＵ（ジョブ分割手段、判定手段）
２０…ＲＯＭ（記憶手段）
１３４…ページ分割キー（ジョブ分割設定手段）
【図１】
2005295109.tif 000003
【図２】
2005295109.tif 000004
【図３】
2005295109.tif 000005
【図４】
2005295109.tif 000006
【図５】
2005295109.tif 000007
【図６】
2005295109.tif 000008